(57)【特許請求の範囲】
【請求項１】
合成樹脂製のストラップと、このストラップの両端が挿通される挿通孔及びこの挿通孔内に突設され該挿通孔内の前記ストラップに抜止め状に食い込み係合する係止歯を有するロッキングヘッドとからなり、
前記ストラップの表裏両面に、斜めの目を交差させてストラップの薄肉になる部分が幅方向に断続的に形成されるあや目状のローレット目を形成して当該箇所の幅方向に係止歯が食い込むようにしたことを特徴とする電線等の結束具。
【発明の詳細な説明】
【０００１】
【発明の属する技術分野】
本発明は、電線やケーブル等を束ねるのに用いる結束具に関する。
【０００２】
【従来の技術】
この種の結束具として、合成樹脂製のストラップとロッキングヘッドとからなり、ロッキングヘッドは１対の挿通孔または１つの挿通孔を設け、該挿通孔内に係止歯を突設してなる、というものがある。そして、電線やケーブル等を束ねるには、所要長さのストラップで電線やケーブル等を束ね、このストラップの両端をロッキングヘッドの挿通孔に挿通した後、ストラップの両端を指や工具でつかんで引き締め、ストラップを挿通孔内の係止歯に食い込ませて抜け止め状態に係合し、これにより電線やケーブル等が引締め結束状態に保持される。
【０００３】
【発明が解決しようとする課題】
しかるに、上記合成樹脂製のストラップの表裏面は平滑面に形成されているため、このストラップをロッキングヘッドに挿通後にそのストラップの両端を指や工具でつかんで引き締めるとき、指や工具が滑りやすくて思い通りに強く引き締めることができなかった。
【０００４】
この滑り止め対策として、ストラップの表裏両面にローレット目を形成することが考えられるが、そのローレット目として、ストラップの幅方向全長にわたって走る細い溝を平行にその長手方向に小ピッチで列設する平目を採用した場合は、指の滑り止め機能を発揮するものの、平目によりストラップが幅方向全長にわたり薄肉になって弱体化されるため、引き締め後ロッキングヘッド内の係止歯がその平目に食い込むと応力集中によりストラップが破断しやすいことを知見した。
【０００５】
そこで、本発明は、かかる知見に基づいてなされたもので、ストラップは指や工具の滑り止め機能を備えて強い引き締めを可能にするとともに、ロッキングヘッド内の係止歯によるストラップの破断防止を図ることができる電線等の結束具を提供することを目的とする。
【０００６】
【課題を解決するための手段】
本発明の電線等の結束具は、合成樹脂製のストラップと、このストラップの両端が挿通される挿通孔及びこの挿通孔内に突設され該挿通孔内の前記ストラップに抜止め状に食い込み係合する係止歯を有するロッキングヘッドとからなり、前記ストラップの表裏両面に、斜めの目を交差させてストラップの薄肉になる部分が幅方向に断続的に形成されるあや目状のローレット目を形成して当該箇所の幅方向に係止歯が食い込むようにしたことに特徴を有するものである。
【０００７】
【作用】
ロッキングヘッドの挿通孔に挿通されたストラップの両端を指や工具でつかんで強く引き締めるときも、指や工具はそのストラップの表裏両面に形成されているあや目に引っ掛かるため滑るようなことが無くなる。
また、斜めの目を交差させたあや目状のローレット目によれば、ストラップの薄肉になる部分が幅方向に断続的に形成されるだけで非連続状になるため、当該箇所の幅方向にロッキングヘッド内の係止歯が食い込んでもストラップが破断するようなことが無い。
【０００８】
【発明の実施の形態】
本発明に係る結束具の一実施例を図面に基いて説明する。
図１は結束具のロッキングヘッドの斜視図、図２は結束具のストラップを一部を省略して示す斜視図、図３は図２におけるＡ−Ａ線拡大断面図、図４は使用状態で示す結束具の半欠截断面図である。
【０００９】
本発明に係る結束具は、図１に示すロッキングヘッド１と、図２及び図３に示すストラップ２とを組み合わせてなる。
ロッキングヘッド１は、図１及び図４に示すように、合成樹脂材で全体を截頭角錐形状に成形したヘッド本体３と、ステンレス板などをＶ形状に折曲形成され、両端に係止歯４，４を有する金属製の係止体５とからなる。ヘッド本体３は、ストラップ２の両端を挿通し得る２つの挿通孔６，６を上下方向に貫通状に形成するとともに、この挿通孔６，６間に、係止体５を挿入し得るＶ形状の挿入孔７を挿通孔６，６と連通するよう前後方向に貫通状に形成している。係止体５はヘッド本体３の前後方向一側面より挿入孔７に挿入されて係止歯４，４の各歯先が挿通孔６，６にそれぞれ突出するように固定されている。
【００１０】
一方、ストラップ２は合成樹脂材で帯状に押出成形されてなり、その表裏両面には、このストラップ２が押出成形工程上であや目を外周面につけたローレットギヤ間に通されて刻印されることにより、図２及び図３のように斜めの目を交差させたあや目状のローレット目８が形成されている。
【００１１】
上記構成のロッキングヘッド１とストラップ２を用いて電線やケーブル等を束ねるには、図４のように、ストラップ２で電線やケーブル等の被結束体９を束ね、ストラップ２の一端２ａをロッキングヘッド１の一方の挿通孔６に、ストラップ２の他端２ｂをロッキングヘッド１の他方の挿通孔６にそれぞれ挿通した後、一方の手でロッキングヘッド１をつかみ、他方の手の指または他方の手に持つ工具でストラップ２の両端２ａ，２ｂをつかんで引き締め、ストラップ２を各挿通孔６内の係止歯４に食い込ませて抜け止め状態に係合し、これにより被結束体９が引締め結束された状態に保持される。
【００１２】
その際、ストラップ２の両端２ａ，２ｂをつかむ指や工具は、ストラップ２の表裏両面に形成されているあや目状のローレット目８に引っ掛かるため滑るようなことが無く、したがってきわめて容易な引き締め操作で被結束体９を強く引締め結束することができる。また、あや目状のローレット目８によれば、ストラップ２の薄肉になる部分はその幅方向に断続的に形成されるだけで非連続状になるため、当該箇所の幅方向にロッキングヘッド１内の係止歯４が食い込んでもストラップ２が破断するようなことが無くなった。
【００１３】
上記実施例では、ロッキングヘッド１が２つの挿通孔６，６を有するものとして、その一方の挿通孔６にストラップ２の一端２ａを、他方の挿通孔６にストラップ２の他端２ｂをそれぞれ挿通させるものとしてあるが、これに限定されるものではなく、ロッキングヘッド１が単一の挿通孔６を有するものとして、この挿通孔６にストラップ２の一端２ａ及び他端２ｂを共に挿通させるものであっても同様に適用できる。なお、単一の挿通孔６を有するロッキングヘッド１の場合にも、ストラップ２の一端２ａ及び他端２ｂにそれぞれ食い込み係合する係止歯４を挿通孔６内に突設することは言うまでもないことである。
【００１４】
【発明の効果】
本発明によれば、ストラップの表裏両面にあや目状のローレット目を形成するという簡単な手段で、ストラップの指や工具の滑り止め機能を発揮できて電線やケーブルなどを簡易かつ強固に引き締めることができるばかりか、ロッキングヘッド内の係止歯によるストラップの破断防止を図れるという利点がある。
【図面の簡単な説明】
【図１】  結束具のロッキングヘッドの斜視図である。
【図２】  結束具のストラップを一部を省略して示す斜視図である。
【図３】  図２におけるＡ−Ａ線拡大断面図である。
【図４】  使用状態で示す結束具の半欠截断面図である。
【符号の説明】
１  ロッキングヘッド
２  ストラップ
４  係止歯
６  挿通孔
８  あや目状のローレット目
９  電線やケーブル等の被結束体
【図１】
0004291920.tif 000002
【図２】
0004291920.tif 000003
【図３】
0004291920.tif 000004
【図４】
0004291920.tif 000005